(57)【要約】【課題】  本発明の簡潔移動装置は、プランタン、家具、スライドドアなどの移動体の水平移動や、洗面台の洗面部などの移動体の垂直移動を簡潔構造で行う簡潔移動装置を提供すること。【解決手段】  本発明の簡潔移動装置１０は、駆動モータ１１により駆動する駆動ギア１２と、駆動ギア１２に連結する第１のギア１３に取付けられ回動する第１のローラ１４と、第１のギアに連結する第２のギア１５に取付けられ回動する第２のローラ１６と、第１のローラ１４に一端が固定され巻き取り巻き戻しが行われる第１のベルト１７と、第２のローラ１６に一端が固定され、第１のベルト１７の巻き取りが行われるとき巻き戻しが行われ、第１のベルト１７の巻き戻しが行われるとき巻き取りが行われる第２のベルト１８とを備え、第１、第２のベルト１７、１８の巻き取り巻き戻しにより箱形の移動体の移動を行うこととした。【選択図】図１
2007139173.tif 000002
【特許請求の範囲】
【請求項１】
駆動モータにより駆動する駆動ギアと、前記駆動ギアに連結する第１のギアに取付けられ同方向に回動する第１のローラと、前記第１のギアに連結する第２のギアに取付けられ同方向に回動する第２のローラと、前記第１のローラに一端が固定され巻き取り巻き戻しが行われる第１のベルトまたはワイヤと、前記第２のローラに一端が固定され、前記第１のベルトの巻き取りが行われるとき巻き戻しが行われ、前記第１のベルトの巻き戻しが行われるとき巻き取りが行われる第２のベルトまたはワイヤとを備え、前記第１、第２のベルトまたはワイヤの巻き取り巻き戻しにより箱形の移動体の移動を行うことを特徴とする簡潔移動装置。
【請求項２】
前記第１のベルトまたはワイヤは、互いに連動する回転円盤の一方の回転円盤の端部側に取付けられた第１のガイドローラに掛けられ他端が前記簡潔移動装置に固定され、前記第２のベルトまたはワイヤは、前記第１のガイドローラと互いに向き合う前記一方の回転円盤の端部側に取付けられ、前記回転円盤の回動により前記回転円盤に取付けられた前記移動体の移動を行うことを特徴とする請求項１に記載の簡潔移動装置。
【請求項３】
前記第１のベルトまたはワイヤは、スライド移動可能の前記移動体の一方の端部側に取付けられた第１のガイドローラに掛けられ他端が前記移動体に固定され、前記第２のベルトまたはワイヤは、前記移動体の他方の端部側に取付けられた第２のガイドローラに掛けられ他端が前記移動体に固定され、前記移動体の移動を行うことを特徴とする請求項１に記載の簡潔移動装置。
【請求項４】
前記第１のベルトまたはワイヤは、垂直方向にスライド移動可能のシャフトの上端部側に取付けられた第１のガイドローラに掛けられ他端が前記シャフトに固定され、前記第２のベルトまたはワイヤは、前記シャフトの下端部側に取付けられた第２のガイドローラに掛けられ他端が前記シャフトに固定され、前記シャフトの上端に取付けられた前記移動体の垂直方向への移動を行うことを特徴とする請求項１に記載の簡潔移動装置。
【発明の詳細な説明】
【技術分野】
【０００１】  本発明は、スライドドア、プランター、家具などの水平移動や、洗面台の洗面部などの垂直移動を簡潔構造で行う簡潔移動装置に関する。
【背景技術】
【０００２】  スライドドア、プランター、家具などの水平の移動体には、巻取りプーリに巻回され、ガイドローラに掛けられたベルトまたはワイヤにより水平方向に移動可能にする移動装置が取付けられているものがある（例えば、特許文献１参照）。
また、スライドドア、プランター、家具などの水平の移動体には、巻取り歯付プーリに巻回され、歯付ガイドローラに掛けられたタイミングベルトにより水平方向に移動可能にする移動装置が取付けらされているものがある（例えば、特許文献２参照）。
さらに、従来の洗面台や流し台などには、垂直方向に設置したねじ棒をモータ駆動により回転させ、上部を所望の高さまで垂直方向に移動可能にする移動装置が取付けられているものがある（例えば、特許文献３参照）。【０００３】
【特許文献１】  特開２００４−２５７１７４
【特許文献２】  特開平１０−８８２８
【特許文献３】  特開平１１−７６０８０
【発明の開示】
【発明が解決しようとする課題】
【０００４】  しかしながら、従来のスライドドアなどを水平方向に移動する移動装置は、巻取りプーリに巻回され、ガイドローラに掛けられたベルトまたはワイヤにより水平方向に移動可能にするが、ベルトまたはワイヤに常に張力を与える機構も必要で機構が複雑であり、また、巻取り歯付プーリに巻回され、歯付ガイドローラに掛けられたタイミングベルトにより水平方向に移動可能にする移動装置も歯付のプーリと、歯付のガイドローラと、タイミングベルトとを使用するため機構が複雑である。さらに、従来の洗面台や流し台などを垂直方向に移動にする移動装置は、垂直方向に設置したねじ棒をモータ駆動により回転させるため機構が複雑であった。
本発明は、上記に鑑みてなされたものであって、プランタン、家具、スライドドアなどの移動体の水平移動や、洗面台の洗面部などの移動体の垂直移動を簡潔構造で行う簡潔移動装置を提供することを目的とする。
【課題を解決するための手段】
【０００５】  本発明の簡潔移動装置は、駆動モータにより駆動する駆動ギアと、前記駆動ギアに連結する第１のギアに取付けられ同方向に回動する第１のローラと、前記第１のギアに連結する第２のギアに取付けられ同方向に回動する第２のローラと、前記第１のローラに一端が固定され巻き取り巻き戻しが行われる第１のベルトまたはワイヤと、前記第２のローラに一端が固定され、前記第１のベルトの巻き取りが行われるとき巻き戻しが行われ、前記第１のベルトの巻き戻しが行われるとき巻き取りが行われる第２のベルトまたはワイヤとを備え、前記第１、第２のベルトまたはワイヤの巻き取り巻き戻しにより箱形の移動体の移動を行うこととした。
また、前記第１のベルトまたはワイヤは、互いに連動する回転円盤の一方の回転円盤の端部側に取付けられた第１のガイドローラに掛けられ他端が前記簡潔移動装置に固定され、前記第２のベルトまたはワイヤは、前記第１のガイドローラと互いに向き合う前記一方の回転円盤の端部側に取付けられ、前記回転円盤の回動により前記回転円盤に取付けられた前記移動体の移動を行うこととした。
また、前記第１のベルトまたはワイヤは、スライド移動可能の前記移動体の一方の端部側に取付けられた第１のガイドローラに掛けられ他端が前記移動体に固定され、前記第２のベルトまたはワイヤは、前記移動体の他方の端部側に取付けられた第２のガイドローラに掛けられ他端が前記移動体に固定され、前記移動体の移動を行うこととした。
さらに、前記第１のベルトまたはワイヤは、垂直方向にスライド移動可能のシャフトの上端部側に取付けられた第１のガイドローラに掛けられ他端が前記シャフトに固定され、前記第２のベルトまたはワイヤは、前記シャフトの下端部側に取付けられた第２のガイドローラに掛けられ他端が前記シャフトに固定され、前記シャフトの上端に取付けられた前記移動体の垂直方向への移動を行うこととした。
【発明の効果】
【０００６】  本発明の簡潔移動装置は、駆動モータにより駆動する駆動ギアと、前記駆動ギアに連結する第１のギアに取付けられ同方向に回動する第１のローラと、前記第１のギアに連結する第２のギアに取付けられ同方向に回動する第２のローラと、前記第１のローラに一端が固定され巻き取り巻き戻しが行われる第１のベルトまたはワイヤと、前記第２のローラに一端が固定され、前記第１のベルトの巻き取りが行われるとき巻き戻しが行われ、前記第１のベルトの巻き戻しが行われるとき巻き取りが行われる第２のベルトまたはワイヤとを備え、前記第１、第２のベルトまたはワイヤの巻き取り巻き戻しにより箱形の移動体の移動を行うこととしたため、箱形の移動体を簡潔構造で所望の位置まで容易に移動することができる。
また、前記第１のベルトまたはワイヤは、互いに連動する回転円盤の一方の回転円盤の端部側に取付けられた第１のガイドローラに掛けられ他端が前記簡潔移動装置に固定され、前記第２のベルトまたはワイヤは、前記第１のガイドローラと互いに向き合う前記一方の回転円盤の端部側に取付けられ、前記回転円盤の回動により前記回転円盤に取付けられた前記移動体の移動を行うこととしたため、プランターなどの箱形の移動体を簡潔構造で所望の位置まで容易に水平移動することができる。
また、前記第１のベルトまたはワイヤは、スライド移動可能の前記移動体の一方の端部側に取付けられた第１のガイドローラに掛けられ他端が前記移動体に固定され、前記第２のベルトまたはワイヤは、前記移動体の他方の端部側に取付けられた第２のガイドローラに掛けられ他端が前記移動体に固定され、前記移動体の移動を行うこととしたため、家具などの箱形の移動体を簡潔構造で所望の位置まで容易に水平移動することができる。
さらに、前記第１のベルトまたはワイヤは、垂直方向にスライド移動可能のシャフトの上端部側に取付けられた第１のガイドローラに掛けられ他端が前記シャフトに固定され、前記第２のベルトまたはワイヤは、前記シャフトの下端部側に取付けられた第２のガイドローラに掛けられ他端が前記シャフトに固定され、前記シャフトの上端に取付けられた前記移動体の垂直方向への移動を行うこととしたため、洗面台の洗面部などの箱形の移動体を簡潔構造で所望の位置まで容易に垂直移動することができる。
【発明を実施するための最良の形態】
【０００７】  以下、本発明の実施の形態の簡潔移動装置につき図を用いて説明する。
【実施例１】
【０００８】  図１は、本発明の実施の形態の簡潔移動装置がプランターに取付けられたときの平面図を示し、図１（ａ）は、プランターが移動前の平面図を示し、図１（ｂ）は、プランターが中間まで移動したときの平面図を示し、図１（ｃ）は、プランターが移動終了したときの平面図を示す。
図１に示すように、本発明の実施の形態の簡潔移動装置１０は、駆動モータ１１と、駆動モータ１１により回動する駆動ギア１２と、駆動ギア１２に連結し駆動ギア１２の回動により回動する第１のギア１３に取付けられ、第１のギア１３と同軸で同方向に回動する第１のローラ１４と、第１のギア１３に連結し第１のギア１３の回動により回動する第２のギア１５に取付けられ、第２のギア１５と同軸で同方向に回動する第２のローラ１６と、第１のローラ１４に一端が固定され巻き取り巻き戻しが行われる第１のベルト１７と、第２のローラ１６に一端が固定され、第１のベルト１７の巻き取りが行われるとき巻き戻しが行われ、第１のベルト１７の巻き戻しが行われるとき巻き取りが行われる第２のベルト１８とで構成されている。駆動モータ１１は、ＤＣモータ１１ａと、ＤＣモータ１１ａの回転数を減速しトルクを増大する減速器１１ｂとにより構成されている。
回転盤２０は、シャフト２１に取付けられ回動自在に簡潔移動装置１０の近傍に設置される。第１のガイドローラ２２と第２のガイドローラ２３とが互いに向き合い回転円盤２０の円周に近い端部側に取付けられ、第１のガイドローラ２２は、ガイドローラシャフト２２ａにより回転盤２０に回転自在に取付けられ、第２のガイドローラ２３は、ガイドローラシャフト２３ａにより回転盤２０に回転自在に取付けられている。
第１のベルト１７は、第１のガイドローラ２２に掛けられ他端がベルト固定部１９ａに固定され、第２のベルト１８は、第２のガイドローラ２３に掛けられ他端がベルト固定部１９ｂに固定されている。そのため、回転円盤２０は、第１、第２のベルト１７、１８の巻き取り巻き戻しにより回動することができる。回転円盤２０は、連結バー２５を介してシャフト２６に取付けられ回動自在に設置された回転円盤２７に連結し、回転円盤２７は、回転円盤２０の回動に応じて回動することができる。連結バー２５は、一端が回転円盤２０の下側と第２のガイドローラ２３の間で、第２のガイドローラ２３のシャフト２３ａに回転自在に取付けられ、他端が回転円盤２７の下側で、シャフト２８に回転自在に取付けられている。
プランター３０は、回転円盤２０の上側の端部側に設けられたプランター取付シャフト２４と、回転円盤２７の上側の端部側に設けられたプランター取付シャフト２９とに回転自在に取付けられ、回転円盤２０と円盤２７の回転により水平側方に移動を行うことができる。
なお、図１（ａ）、図１（ｂ）、図１（ｃ）の構成は同じのため、符号は説明上必要とするもの以外は重複をさけ付与することとした。【０００９】  図２は、本発明の実施の形態の簡潔移動装置がプランターに取付けられたときの縦方向からの側面図を示す。
図２に示すように、本発明の実施の形態の簡潔移動装置１０は、シャフト２１により取付けられた回転盤２０を回動することができ、回転円盤２０は、回転円盤２０の下側に設けられた連結バー２５により回転円盤２７に連結し、回転円盤２７も回転円盤２０の回動に応じて回動する。プランター３０は、回転円盤２０の上側の端部側に設けられたプランター取付シャフト２４と、回転円盤２７の上側の端部側に設けられたプランター取付シャフト２９とに回転自在に取付けられ、回転円盤２０と円盤２７の回転により矢印Ｄに示すように水平側方に移動を行うことができる。
なお、プランター取付シャフト２４、２９は回転円盤２７の上側の端部側に設けられ、回転円盤２０と回転円盤２７とを連結する連結バー２５は、回転円盤２０と回転円盤２７との下側に設けられているため、連結バー２５とプランター取付シャフト２４とが干渉することはない。【００１０】  次に、本発明の実施の形態の簡潔移動装置１０がプランター３０に取付けられているときの動作につき図１、図２により説明する。
プランター３０を図１（ａ）に示す位置から、図１（ｃ）に示す位置に移動するときには、まず、簡潔移動装置１０の駆動モータ１１を駆動して駆動ギア１２を矢印Ａに示す方向に回動すると、第１のギア１３と第２のギア１５が回動し、第１のギア１３と第２のギア１５との回動により第１のローラ１４と第２のローラ１６とが矢印Ｂ、Ｃに示すように回動する。第１のローラ１４と第２のローラ１６との回動により、第１のベルト１７の巻き取りと第２のベルト１８の巻き戻しが行われ、ベルト１７が掛けられた第１のガイドローラ２２がベルト１７により牽引されるとともに、第２のガイドローラ２３に掛けられた第２のベルト１８が緩められ、回転円盤２０が回動するとともに、連結バー２５により回転円盤２７も回動する。
回転円盤２０と回転円盤２７とが回動すると、プランター取付シャフト２４とプランター取付シャフト２９に回転自在に取付けられたプランター３０は、矢印Ｄに示すように水平横方向に移動し、図１（ｂ）に示すようにプランター３０は中間まで移動し、さらに、図１（ｃ）に示すようにプランター３０は最終位置まで移動することができる。
簡潔移動装置１０が取付けられたプランターは、菜園などで近接して並列に複数個並べて設置し、収穫を行うときなどにはプランターを水平方向に移動して通路を確保するようにでき、菜園などのスペースを有効に使うことができる。
【実施例２】
【００１１】  図３は、本発明の実施の形態の簡潔移動装置が家具に取付けられたときの平面図を示す。
図３に示すように、本発明の実施の形態の簡潔移動装置１０は、実施例１と同様に構成され、第１のベルト１７と第２のベルト１８の巻き取り巻き戻しが行われる。第２のベルト１８は、第１のベルト１７の巻き取りが行われるとき巻き戻しが行われ、第１のベルト１７の巻き戻しが行われるとき巻き取りが行われる。
家具４０は、スライドレール４１にスライド可能に取付けられ、第１のベルト１７は、家具４０の側面に取付けられた第１のガイドローラ４２ａに掛けられ他端がベルト固定部４３ａに固定されている。第２のベルト１８は、第２のガイドローラ４２ｂに掛けられ他端がベルト固定部４３ｂに固定されている。
家具４０を矢印Ｒに示す横方向に移動するときには、駆動モータ１１を駆動して駆動ギア１２を矢印Ａに示す方向に回動すると、第１のローラ１４と第２のローラ１６とが矢印Ｂ、Ｃに示すように回動する。第１のローラ１４と第２のローラ１６との回動により、ベルト１７の巻き戻しと第２のベルト１８の巻き取りが行われ、スライドレール４１にスライド可能に取付けられた家具４０を矢印Ｒに示すように水平横方向に移動することができる。
家具４０を矢印Ｒに示すように水平横方向に移動した後は、駆動モータ１１を逆方向に回動することにより元の位置にもどすことができ、また、家具４０を矢印Ｌに示す横方向に移動するときには、駆動モータ１１を駆動して駆動ギア１２を矢印Ａとは逆方向に回動し行うことができる。
本発明の実施の形態の簡潔移動装置１０は、家具４０の側面に取付ける例につき説明したが、家具４０の下面に取付け、スライドレール上を移動するようにすることもできる。
【実施例３】
【００１２】  図４は、本発明の実施の形態の簡潔移動装置が洗面台に取付けされたときの側面を開口した側面図を示し、図４（ａ）は、洗面台の洗面部が下降しているときの側面図を示し、図４（ｂ）は、洗面台の洗面部が上昇しているときの側面図を示す。
図４に示すように、洗面台５０の洗面本体５１には、シャフト５３がスライドベアリング（図示せず）を介して垂直方向にスライド自在に取付けられている。本発明の実施の形態の簡潔移動装置１０は、洗面台５０に取付けられ、第１のベルト１７と第２のベルト１８の巻き取り巻き戻しにより、シャフト５３を昇降させ洗面台５０の洗面部３２を垂直方向に上下移動するもので、実施例１と同様に構成されている。
第１のベルト１７は、シャフト５３の上側に取付けられた第１のガイドローラ５４ａに掛けられ他端がベルト固定部５５ａに固定されている。第２のベルト１８は、シャフト５３の下側に取付けられた第２のガイドローラ５４ｂに掛けられ他端がベルト固定部５５ｂに固定されている。第１のベルト１７は、１４の回動により巻き取り巻き戻しが行われ、第２のベルト１８は、第２のローラ１６の回動により、第１のベルト１７の巻き取りが行われるとき巻き戻しが行われ、第１のベルト１７の巻き戻しが行われるとき巻き取りが行われる。
図４（ａ）に示す洗面部５２が下降している位置から上方に垂直移動するときには、駆動モータ１１を駆動して駆動ギア１２を矢印Ａに示す方向に回動すると、第１のローラ１４と第２のローラ１６とが矢印Ｂ、Ｃに示すように回動する。第１のローラ１４と第２のローラ１６との回動により、第１のベルト１７の巻き戻しと第２のベルト１８の巻き取りが行われ、図４（ｂ）に示すように、シャフト５３が垂直方向に上昇しシャフト５３に取付けられた洗面部５２を矢印Ｈに示すように上方に垂直移動することができる。洗面部５２を上方に垂直移動した後は、駆動モータ１１を逆方向に回動することにより元の位置にもどすことができる。
洗面部５２は、第１のベルト１７により上方への移動か常に阻止されたおり、手動により洗面部５２を上方へ移動することはできず、安全性を確保することができる。
また、洗面台５０は、洗面部５２が上昇したとき、に両側面と前面の隙間をふさぐコの字形の遮蔽板５９が洗面部５２の下面側に設けられており、洗面台５０の内部が見えないようにすることができる。
簡潔移動装置１０は、第１のガイドローラ５４ａ、第２のガイドローラ５４ｂ、ベルト固定部５５ａ、５５ｂを設けたシャフト５３とともに、洗面台５０の左右内部にそれぞれ取付け、洗面部５２を上方に垂直移動するようにすることもできる。また、洗面台５０の洗面部５２にスライダを設け、１個の簡潔移動装置１０で洗面部５２を上方に垂直移動ようにすることもできる。さらに、実施例２、３のベルトの他端は簡潔移動装置１０に固定するようにすることもできる。【００１３】  以上述べたように、簡潔移動装置１０は、プランター、家具を水平方向に簡潔構造で移動させることができ、洗面台の上部に設置された洗面部を垂直方向に簡潔構造で移動させることができる。
なお、本発明の実施の形態の簡潔移動装置は、プランターと、家具と、洗面台の洗面部の移動の実施例につき説明したが、これに限定されることなく、他の箱形の移動体の水平方向、垂直方向の移動を行うことができる。
また、本発明の実施の形態の簡潔移動装置は、ベルトで移動させるようにしたが、ワイヤ類で移動させるようにすることもできる。
【図面の簡単な説明】
【００１４】
【図１】  本発明の実施の形態の簡潔移動装置がプランターに取付けられたときの平面図を示し、図１（ａ）は、プランターが移動前の平面図を示し、図１（ｂ）は、プランターが中間まで移動したときの平面図を示し、図１（ｃ）は、プランターが移動終了したときの平面図を示す。
【図２】  本発明の実施の形態の簡潔移動装置がプランターに取付けられたときの縦方向からの側面図を示す。
【図３】  本発明の実施の形態の簡潔移動装置が家具に取付けられたときの平面図を示す。
【図４】  本発明の実施の形態の簡潔移動装置が洗面台に取付けされたときの側面を開口した側面図を示し、図４（ａ）は、洗面台の洗面部が下降しているときの側面図を示し、図４（ｂ）は、洗面台の洗面部が上昇しているときの側面図を示す。
【符号の説明】
【００１５】１０  簡潔移動装置
１１  駆動モータ
１２  駆動ギア
１３  第１のギア
１４  第１のローラ
１５  第２のギア
１６  第２のローラ
１７  第１のベルト
１８  第２のベルト
１９ａ、１９ｂ、４３ａ、４３ｂ、５５ａ、５５ｂ  ベルト固定部
２０、２７  回転盤
２２、４２ａ  第１のガイドローラ
２３、４２ｂ  第２のガイドローラ
２５  連結バー
３０  プランター
２４、２９  プランター取付シャフト
４０  家具
４１  スライドレール
５０  洗面台
５２  洗面部
５３  シャフト
【図１】
2007139173.tif 000003
【図２】
2007139173.tif 000004
【図３】
2007139173.tif 000005
【図４】
2007139173.tif 000006